(57)【要約】【課題】  スペーサ近傍での表示の乱れを低減できる表示装置および表示方法を提供する。【解決手段】  第１、第２の基板間に配置される複数のスペーサと、互いに異なる第１、第２、および第３の表示色の画素と、を有する表示部における第１、第２、第３の表示色それぞれに対応する第１、第２、第３の階調を表示部上でのスペーサの配置に対応して補正する。表示部上でのスペーサの配置に対応して第１、第２、第３の階調それぞれを補正することで、スペーサの近傍での表示輝度の乱れを第１、第２、および第３の表示色それぞれに対応して是正できる。【選択図】      図１
2006106142.tif 000002
【特許請求の範囲】
【請求項１】
互いに対向して配置される第１、第２の基板と、前記第１、第２の基板間に配置される複数のスペーサと、前記第１、第２の基板間に配列され、かつ互いに異なる第１、第２、および第３の表示色の画素と、を有する表示部と、
前記第１、第２、第３の表示色それぞれに対応する第１、第２、第３の階調の情報を含む映像信号を入力し、前記表示部上でのスペーサの配置に対応して前記第１、第２、第３の階調それぞれを補正する階調補正部と、
前記階調補正部で補正される階調に基づき、前記表示部を表示させる駆動信号を生成する駆動信号生成部と、
を具備することを特徴とする表示装置。
【請求項２】
前記画素が、電子放出素子と、前記電子放出素子から放出される電子によって前記第１、第２、および第３の表示色いずれかの光を発する蛍光体と、を含む
ことを特徴とする請求項１記載の表示装置。
【請求項３】
前記第１、第２、第３の表示色の画素がそれぞれ、前記スペーサと交差するように配列されている
ことを特徴とする請求項１記載の表示装置。
【請求項４】
前記階調補正部が、前記スペーサの近傍の画素に係る階調を補正する
ことを特徴とする請求項１記載の表示装置。
【請求項５】
前記階調補正部が、前記スペーサの第１の近傍の画素に係る階調が大きくなり、前記第１の近傍よりも前記スペーサから離れた第２の近傍の画素に係る階調が小さくなるように補正する
ことを特徴とする請求項３記載の表示装置。
【請求項６】
前記駆動信号生成部が、前記階調に対応して、前記駆動信号の振幅とパルス幅とを変化させる
ことを特徴とする請求項１記載の表示装置。
【請求項７】
互いに対向して配置される第１、第２の基板と、前記第１、第２の基板間に配置される複数のスペーサと、前記第１、第２の基板間に配列され、かつ互いに異なる第１、第２、および第３の表示色の画素と、を有する表示部における前記第１、第２、第３の表示色それぞれに対応する第１、第２、第３の階調の情報を含む映像信号を入力するステップと、
前記表示部上でのスペーサの配置に対応して、前記入力される映像信号に含まれる第１、第２、第３の階調それぞれを補正するステップと、
前記補正される階調に基づき、前記表示部を表示させる駆動信号を生成するステップと、
を具備することを特徴とする表示方法。
【請求項８】
前記画素が、電子放出素子と、前記電子放出素子から放出される電子によって前記第１、第２、および第３の表示色いずれかの光を発する蛍光体と、を含む
ことを特徴とする請求項７記載の表示方法。
【請求項９】
前記第１、第２、第３の表示色の画素がそれぞれ、前記スペーサと交差するように配列されている
ことを特徴とする請求項７記載の表示方法。
【請求項１０】
前記階調を補正するステップが、前記スペーサの近傍の画素に係る階調を補正するステップを含む
ことを特徴とする請求項７記載の表示方法。
【請求項１１】
前記階調を補正するステップが、前記スペーサの第１の近傍の画素に係る階調が大きくなり、前記第１の近傍よりも前記スペーサから離れた第２の近傍の画素に係る階調が小さくなるように補正するステップを含む
ことを特徴とする請求項７記載の表示方法。
【請求項１２】
前記駆動信号を生成するステップが、前記階調に対応して、前記駆動信号の振幅とパルス幅とを変化させるステップを含む
ことを特徴とする請求項７記載の表示方法。
【発明の詳細な説明】
【技術分野】
【０００１】
本発明は、フィールド・エミッション・ディスプレイ等の基板間にスペーサおよび画素が配置される表示装置および表示方法に関する。
【背景技術】
【０００２】
２つの基板間に電子放出素子と蛍光体とを配列し、電子放出素子から放出される電子によって蛍光体を発光させて表示を行うフィールド・エミッション・ディスプレイの開発が進められている（特許文献１参照）。
フィールド・エミッション・ディスプレイを動作させるためには基板間を減圧する必要がある。このため、大気圧に対抗すべくスペーサが基板間に配置され、基板間の距離を保持している。
【特許文献１】特開２０００−３１１６０７
【発明の開示】
【発明が解決しようとする課題】
【０００３】
しかしながら、スペーサの帯電等によって、スペーサ近傍に表示の乱れが生じる可能性がある。
上記に鑑み、本発明はスペーサ近傍での表示の乱れを低減できる表示装置および表示方法を提供することを目的とする。
【課題を解決するための手段】
【０００４】
上記目的を達成するために、本発明に係る表示装置は、互いに対向して配置される第１、第２の基板と、前記第１、第２の基板間に配置される複数のスペーサと、前記第１、第２の基板間に配列され、かつ互いに異なる第１、第２、および第３の表示色の画素と、を有する表示部と、前記第１、第２、第３の表示色それぞれに対応する第１、第２、第３の階調の情報を含む映像信号を入力し、前記表示部上でのスペーサの配置に対応して前記第１、第２、第３の階調それぞれを補正する階調補正部と、前記階調補正部で補正される階調に基づき、前記表示部を表示させる駆動信号を生成する駆動信号生成部と、を具備することを特徴とする。
【発明の効果】
【０００５】
本発明によれば、スペーサ近傍での表示の乱れを低減できる表示装置および表示方法を提供できる。
【発明を実施するための最良の形態】
【０００６】
以下、図面を参照して、本発明の実施の形態を詳細に説明する。
図１は本発明の一実施形態に係る表示装置Ｄを表す図である。
本発明に係る表示装置Ｄは、表示パネル１０，信号線ドライバ２０，走査線ドライバ３０，映像信号処理回路４０，タイミング発生回路６０を備える。
【０００７】
入力回路５０に映像信号および同期信号が入力され、映像信号処理回路４０およびタイミング発生回路６０それぞれに分離して出力される。映像信号処理回路４０は、入力回路５０から入力される映像信号を補正等して信号線ドライバ２０に出力する。タイミング発生回路６０は、入力回路５０からの入力される同期信号に基づく動作タイミングを走査線ドライバ３０，映像信号処理回路４０，信号線ドライバ２０に出力する。
【０００８】
信号線ドライバ２０は、映像信号処理回路４０から入力される映像信号を駆動信号に変換して表示パネル１０に出力する。走査線ドライバ３０は、タイミング発生回路６０から入力される動作タイミングを走査線信号に変換して表示パネル１０に出力する。表示パネル１０は、信号線ドライバ２０および走査線ドライバ３０から入力される駆動信号および走査線信号に基づき画像を表示する。
【０００９】
図２は、表示パネル１０を上面から見た状態を模式的に表す上面図である。また、図３は、表示パネル１０を横方向から見た状態を表す側面図である。
表示パネル１０は、フェースプレートＦＰ，リアプレートＲＰ，側壁Ｗ，スペーサＳＰ，走査線Ｙ，信号線Ｘ，表示画素Ｐｘを有する。なお、図２，３では、表示画素ＰｘとスペーサＳＰの配置関係の判りやすさを考慮して、走査線Ｙ，信号線Ｘの図示を省略している。
【００１０】
フェースプレートＦＰ，リアプレートＲＰは、それぞれ第１、第２の基板として機能し、側壁Ｗと共に、真空容器を構成する。即ち、フェースプレートＦＰ，リアプレートＲＰ，側壁Ｗで形成される空間（真空容器内部）は、表示パネル１０の動作のために減圧され、高真空状態となっている。
スペーサＳＰは、フェースプレートＦＰ，リアプレートＲＰの間隔を保つためのものである。フェースプレートＦＰ，リアプレートＲＰの間は、減圧されているために、大気圧による力が印加され、これらの中央が側壁Ｗの近傍に比べて間隔が小さくなる可能性がある。ここで、スペーサＳＰは横方向に細長い略長方形の底面を有する柱状形状をしており、所定の間隔をおいて縦方向に配列される。
【００１１】
リアプレートＲＰ上に走査線Ｙ，信号線Ｘが配置される。ｍ（＝７２０）本の走査線Ｙ（Ｙ１〜Ｙｍ）が、横（水平）方向に伸びている。ｎ（＝１２８０×３）本の信号線Ｘ（Ｘ１〜Ｘｎ）が、これら走査線Ｙ１〜Ｙｍに交差して、縦（垂直）方向に伸びている。
ｍ×ｎ（＝約２７６万）個の表示画素Ｐｘが、これら走査線Ｙ１〜Ｙｍ及び信号線Ｘ１〜Ｘｎの交差位置近傍に配置される。
【００１２】
表示画素Ｐｘは、電子放出素子１１および蛍光体１２を有する。電子放出素子１１は、リアプレートＲＰ上に配置され、対応する走査線Ｙ，信号線Ｘにより駆動され、電子を放出する。蛍光体１２は、フェースプレートＦＰ上に配置され、電子放出素子１１から放出される電子ビームにより発光する。この蛍光体２は、赤（Ｒ）、緑（Ｇ）、及び青（Ｂ）いずれかの表示色で発光する。即ち、表示画素Ｐｘは、赤（Ｒ）、緑（Ｇ）、及び青（Ｂ）の表示色のいずれかに対応する。
赤（Ｒ）、緑（Ｇ）、及び青（Ｂ）の表示画素Ｐｘは、それぞれ縦方向に配置される。ここで、水平方向に隣接して配置される赤（Ｒ）、緑（Ｇ）、及び青（Ｂ）３つの表示画素Ｐｘを、纏めて１つのカラー画素と考えることができる。これら赤（Ｒ）、緑（Ｇ）、及び青（Ｂ）の表示画素Ｐｘを制御することで、フルカラーの表示が可能となる。
【００１３】
表示画素Ｐｘは、図２に示すように、スペーサＳＰの間に配置される。なお、図２では、判りやすさのために、縦方向に配置されるスペーサＳＰ間に５つの表示画素Ｐｘが配置されることとしているが、これは絶対的なものでない。スペーサＳＰ間により多い個数の表示画素Ｐｘが配置されてもよい。また、スペーサＳＰ間に配置される表示画素Ｐｘの個数が一定でなくても差し支えない。
【００１４】
ここで、スペーサＳＰの近傍では、表示パネル１０での表示に乱れが生じる。スペーサＳＰに最も近い表示画素（再近接表示画素）Ｐｘ，図２では走査線Ｙ５，Ｙ６，Ｙ１０等に対応する表示画素Ｐｘ，が本来の輝度より暗くなる傾向にある。また、再近接表示画素ＰｘよりスペーサＳＰから遠い表示画素（近接表示画素）Ｐｘ，図２では走査線Ｙ４，Ｙ７，Ｙ９等に対応する表示画素Ｐｘ，が本来の輝度より明るくなる傾向にある。これらよりスペーサＳＰから離れた表示画素Ｐｘは、本来の輝度で発光する。
即ち、スペーサＳＰからの距離に応じて、表示パネル１０上の領域を最近接領域、近接領域、通常領域と区分すると、低輝度、高輝度、通常輝度となり、スペーサＳＰの近傍に明暗の縞が形成されることになる。このような縞の発生は、表示パネル１０上の表示の乱れとなり、好ましくない。
なお、上記の説明では、これらの領域に含まれる表示画素Ｐｘを１個として説明したが、これらの領域に含まれる表示画素Ｐｘが複数個であってもよく、低輝度、高輝度の領域の間にこれらの中間的な輝度の表示画素Ｐｘがあっても差し支えない。
【００１５】
スペーサＳＰ近傍での明暗の発生は、スペーサＳＰの帯電によって説明可能である。
スペーサＳＰの近傍の電子放出素子１１から発せられた電子の一部がスペーサＳＰに衝突することで、あるいは放出電子の作用で気体等がイオン化されたイオンがスペーサＳＰに付着することで、スペーサＳＰが帯電する可能性がある。さらには、フェースプレートＦＰに到達した電子が一部反射、散乱され、その一部がスペーサＳＰに衝突することでスペーサＳＰが帯電する可能性がある。
【００１６】
スペーサＳＰが帯電すると、電子放出素子１１から蛍光体１２へと向かう電子の軌道に影響を与える。例えば、スペーサＳＰが負に帯電するとスペーサＳＰ近傍を飛翔する電子がスペーサから離れることになる。この結果、スペーサＳＰの最近傍の蛍光体１２に到達する電子の個数が減少し、この最近傍の蛍光体１２よりスペーサＳＰから離れた蛍光体１２に到達する電子の個数が増加する。この結果、スペーサＳＰに対して、最近傍領域の表示画素Ｐｘは低輝度、近傍領域の表示画素Ｐｘは高輝度となる。
スペーサＳＰの帯電を抑制するために、スペーサＳＰの表面に導電性を付与し、帯電された電荷を除去することが考えられる。しかしながら、スペーサＳＰ近傍での輝度の乱れを完全に排除することは困難であり、何らかの手段で輝度を補正することが好ましい。
【００１７】
さらに、スペーサＳＰ近傍での表示画素Ｐｘの乱れは、表示画素Ｐｘの表示色が赤（Ｒ）、緑（Ｇ）、及び青（Ｂ）のいずれかであるかによっても相違することが判った。
図４は、走査線Ｙの位置と表示画素Ｐｘとの相対輝度の対応関係を表すグラフである。横軸が走査線番号Ｙｉ，縦軸が相対輝度ＲＬ（各表示画素Ｐｘの輝度Ｌを基準輝度ＣＬで規格化したもの、相対輝度ＲＬ＝輝度Ｌ／基準輝度ＣＬ）である。
相対輝度ＲＬは、赤（Ｒ）、緑（Ｇ）、及び青（Ｂ）の表示色それぞれに対応して、ＲＬｒ，ＲＬｇ，ＲＬｂに区分される。即ち、相対輝度ＲＬｒ，ＲＬｇ，ＲＬｂそれぞれは、縦方向に配列される赤（Ｒ）、緑（Ｇ）、及び青（Ｂ）の表示画素Ｐｘに対応している。
【００１８】
図４に示されるように、赤（Ｒ）、緑（Ｇ）、及び青（Ｂ）それぞれで、例えば、低輝度領域が走査線番号４７〜４９の範囲、高輝度領域が走査線番号４６，５０〜５３の範囲に配置されている。しかし、赤（Ｒ）、緑（Ｇ）、及び青（Ｂ）それぞれで、その範囲に１ライン（１表示画素）程度の不一致がみられ、また、相対輝度ＲＬの大きさでも微妙な不一致がみられる。以上のように、赤（Ｒ）、緑（Ｇ）、及び青（Ｂ）それぞれの相対輝度ＲＬｒ，ＲＬｇ，ＲＬｂは、必ずしも一致していない。
【００１９】
この相対輝度ＲＬｒ，ＲＬｇ，ＲＬｂの不一致の原因として、赤（Ｒ）、緑（Ｇ）、及び青（Ｂ）の蛍光体１２の材質や作成工程の相違が考えられる。
例えば、蛍光体１２の作成時には、赤（Ｒ）、緑（Ｇ）、及び青（Ｂ）用の蛍光体１２がそれぞれ、フェースプレートＦＰ上に印刷等により塗布される。このときの赤（Ｒ）、緑（Ｇ）、及び青（Ｂ）での印刷のずれにより、赤（Ｒ）、緑（Ｇ）、及び青（Ｂ）の相対輝度ＲＬｒ，ＲＬｇ，ＲＬｂにずれが生じる可能性がある。
赤（Ｒ）、緑（Ｇ）、及び青（Ｂ）用の蛍光体１２の材質の相違や位置ずれは、スペーサＳＰの帯電状態等に影響を与え、スペーサＳＰ近傍での輝度の相違の原因となる可能性がある。
スペーサＳＰ近傍での赤（Ｒ）、緑（Ｇ）、及び青（Ｂ）の輝度の乱れを完全に排除することは困難であり、何らかの手段で赤（Ｒ）、緑（Ｇ）、及び青（Ｂ）の輝度を補正することが好ましい。
【００２０】
信号線ドライバ２０，走査線ドライバ３０，映像信号処理回路４０，入力回路５０，及びタイミング発生回路６０は、表示パネル１０の駆動回路として用いられ、表示パネル１０の周囲に配置される。信号線ドライバ２０は、信号線Ｘ１〜Ｘｎに接続され、走査線ドライバ３０は走査線Ｙ１〜Ｙｍに接続される。
入力回路５０は外部の信号源から供給されるアナログＲＧＢ映像信号及び同期信号を入力し、映像信号を映像信号処理回路４０に供給し、同期信号をタイミング発生回路６０に供給する。
映像信号処理回路４０は入力回路５０からの映像信号に対して信号処理を行う。
タイミング発生回路６０は同期信号に基づいて信号線ドライバ２０，走査線ドライバ３０及び映像信号処理回路４０の動作タイミングを制御する。この制御により、走査線ドライバ３０は走査信号を用いて走査線Ｙ１〜Ｙｍを順次駆動し、信号線ドライバ２０は走査線Ｙ１〜Ｙｍの各々が走査線ドライバ３０によって駆動される間に電圧パルス方式の信号線駆動信号により信号線Ｘ１〜Ｘｎを駆動する。
【００２１】
ここで、映像信号処理回路４０は、ＡＤ変換回路４１，階調補正データ出力部４２，階調補正テーブル４３，乗算器４４，変換部４５，変換テーブル４６を有する。
ＡＤ変換回路４１は、水平同期信号に同期して入力回路５０から供給されるアナログＲＧＢ映像信号をデジタル形式に変換する。ＡＤ変換回路４１では、アナログＲＧＢ映像信号が各表示画素Ｐｘについて、例えば１０２４階調が表示可能な１０ビット階調データに変換される。
【００２２】
階調補正データ出力部４２，階調補正テーブル４３，および乗算器４４は全体として、表示部上でのスペーサの配置に対応して第１、第２、第３の階調それぞれを補正する階調補正部として機能する。
階調補正データ出力部４２は、表示画素Ｐｘの輝度を補正するための階調補正データを出力する。タイミング発生回路６０からのタイミング信号に基づき、走査線Ｙの番号Ｙｉおよび表示色が赤（Ｒ）、緑（Ｇ）、及び青（Ｂ）いずれかに応じて、階調補正データを出力する。垂直同期信号から走査線Ｙの番号Ｙｉが、水平同期信号から表示色が判断され、階調補正テーブル４３が参照されることで階調補正値が決定される。
【００２３】
階調補正テーブル４３は、階調補正データ出力部４２での階調補正データの出力に用いられるテーブルである。
図５は、階調補正テーブル４３の内容の一例を表す模式図である。走査線Ｙの番号Ｙｉと、赤（Ｒ）、緑（Ｇ）、及び青（Ｂ）それぞれの階調補正値Ａｒ，Ａｇ，Ａｂとが対応して表されている。また、図６は、図５にテーブルとして表されたものをグラフで表したものである。横軸が走査線番号Ｙｉで、縦軸が赤（Ｒ）、緑（Ｇ）、及び青（Ｂ）それぞれの階調補正値Ａｒ，Ａｇ，Ａｂである。これら図５，６には、図４に表される相対輝度ＲＬｒ，ＲＬｇ，ＲＬｂを補正するための階調補正値が表されている。
【００２４】
乗算器４４は、ＡＤ変換回路４１から出力される階調値に、階調補正データ出力部４２から出力される階調補正値を乗算する。この乗算の結果、階調データが補正され、図４に表されるようなスペーサ近傍での赤（Ｒ）、緑（Ｇ）、及び青（Ｂ）それぞれの階調の不均一が是正される。
【００２５】
変換部４５は、乗算器４４から出力される階調データを信号線駆動信号の電圧パルス方式に適合する値に変換する。この変換の際に、変換テーブル４６が参照される。
変換テーブル４６は、乗算器４４から出力される階調データの全階調値に割り当てられる１０２４個の１１ビット変換データを格納している。
【００２６】
具体的には、階調０〜２５６を０〜２５６に、階調２５７〜５１２を５１２〜７６９に、階調５１３〜７６８を１０２４〜１２８０に、階調７６９〜１０２４を１５３６〜１７９２に、それぞれ変換する。変換後の階調データは、上位２ビット、下位９ビットがそれぞれ、信号線駆動信号のパルス振幅（素子電圧Ｖ１〜Ｖ４）およびパルス幅（０〜２５６の時間長）に対応している。なお、信号線駆動信号の詳細は、後に図７で説明する。
【００２７】
信号線ドライバ２０は、ラインメモリ２１，２２，及び駆動信号生成部２３を含んでいる。
ラインメモリ２１は、各水平走査期間においてタイミング発生回路６０から供給されるクロックＣＫ１に同期して１水平ライン分の映像信号をサンプリングし、これら映像信号、すなわちｎ個の階調データを並列的に出力する。
ラインメモリ２２は全ての階調データがラインメモリ２１から出力された状態でタイミング発生回路６０から供給されるラッチパルスＤＬに応答してこれら階調データをラッチし、ラインメモリ２１が再びサンプリング動作する後続の１水平走査期間において階調データを保持する。
【００２８】
駆動信号生成部２３は、ラインメモリ２２から並列的に出力される階調データにそれぞれ対応するパルス振幅及びパルス幅を有するｎ個の電圧パルスを信号線駆動信号として発生して信号線Ｘ１〜Ｘｎに供給する。駆動信号生成部２３はカウンタ２４，ｎ個のパルス幅変調回路２５，及びｎ個の出力バッファ・アンプ２６を含む。
【００２９】
カウンタ２４は１０ビットの構成であり、各水平走査期間の開始に伴ってタイミング発生回路６０から供給されるリセット信号ＲＳＴに応答して初期化される。そして、カウンタ２４は、このリセット信号ＲＳＴに続いてタイミング発生回路６０から供給されるクロックＣＫ２によってカウントアップされる。その後、カウンタ２４は各水平走査期間のうちの有効映像期間を１０２４段階の時間長で表す１０ビットのカウントデータを出力する。
【００３０】
各パルス幅変調回路２５は、例えば、コンパレータからなり、ラインメモリ２２から供給される対応階調データと、カウンタ２４から供給されるカウントデータとを比較し、カウントデータが階調データに到達するまでの期間に等しいパルス幅の電圧パルスを出力する。
【００３１】
各出力バッファ・アンプ２６は、対応パルス幅変調回路２５に供給される階調データの上位２ビットに基づいて、外部から供給される正の素子電圧Ｖ１，Ｖ２，Ｖ３，及びＶ４を選択し、出力する。このため、パルス幅変調回路２５からの電圧パルスが、これら素子電圧Ｖ１，Ｖ２，Ｖ３，及びＶ４のうちのいずれかに等しいパルス振幅に増幅される。このとき、このパルス幅変調回路２５からのパルス電圧のパルス幅に等しい期間だけ選択素子電圧が出力バッファ・アンプ２６から出力される。即ち、出力バッファ・アンプ２６は、階調データの階調値に依存したパルス振幅及びパルス幅を有する信号線駆動信号を出力する。
【００３２】
図７は、信号線駆動信号の信号波形の一例を表すグラフである。
信号線駆動信号は、映像信号の大きさに応じて４個の領域（Ａ）乃至（Ｄ）に区分され、領域ごとに異なる振幅値Ｖ１乃至Ｖ４を有する。これら領域（Ａ）乃至（Ｄ）はそれぞれ、変換部４５で変換される前の階調値０〜２５６，２５７〜５１２，５１３〜７６８，７６９〜１０２４および変換部４５で変換後の階調データの上位２ビット「００」，「０１」，「１０」，「１１」に対応する。
駆動信号の振幅値Ｖ１乃至Ｖ４を各領域で段階的に大きくしていき、更に、各領域において、映像信号の値に対応させてパルス幅を可変することで、きめ細かな階調表現を可能としている。
【００３３】
図７の（Ａ）に示すように、階調値が０〜２５６の場合、信号線駆動信号は、パルス振幅が素子電圧Ｖ１でパルス幅が０〜２５６の時間長のパルスとなる。
図７の（Ｂ）に示すように、階調値が２５７〜５１２の場合、信号線駆動信号は、パルス振幅が素子電圧Ｖ２でパルス幅が０〜２５６の時間長のパルスと、パルス振幅が素子電圧Ｖ１でパルス幅が残りの時間長（〜２５６）のパルスとの組み合わせとなる。
図７の（Ｃ）に示すように、階調値が５１３〜７６８の場合、信号線駆動信号は、パルス振幅が素子電圧Ｖ３でパルス幅が０〜２５６の時間長のパルスと、パルス振幅が素子電圧Ｖ２でパルス幅が残りの時間長（〜２５６）のパルスとの組み合わせとなる。
図７の（Ｄ）に示すように、階調値が７６９〜１０２４の場合、信号線駆動信号は、パルス振幅が素子電圧Ｖ４でパルス幅が０〜２５６の時間長のパルスと、パルス振幅が素子電圧Ｖ３でパルス幅が残りの時間長（〜２５６）のパルスとの組み合わせとなる。
【００３４】
走査線ドライバ３０は、シフトレジスタ３１，出力バッファ・アンプ３２を含む。
シフトレジスタ３１は、垂直同期信号を１水平走査期間毎にシフトしてｍ個の出力端の１つから出力する。出力バッファ・アンプ３２は、シフトレジスタ３１のｍ個の出力端からのパルスにそれぞれ応答して走査信号を走査線Ｙ１〜Ｙｍに出力する。
出力バッファ・アンプ３２から出力される走査信号は走査電圧端子から供給される負の電圧Ｖyonであり、１水平走査期間だけ出力される。
【００３５】
各電子放出素子１１では、信号線Ｘ及び走査線Ｙからなる電極間の素子電圧Ｖｆがスレッショルドを越えたときに放電が起き、これにより放出される電子ビームが蛍光体１２を励起する。各表示画素Ｐｘの輝度は、信号線駆動信号のパルス幅及びパルス振幅に依存して電子放出素子１１に流れる駆動電流Ｉｅによって制御される。
階調補正データ出力部４２によってスペーサＳＰ近傍での赤（Ｒ）、緑（Ｇ）、及び青（Ｂ）それぞれの階調が補正されることから、スペーサＳＰ近傍での輝度の不均一が是正され、表示パネル１０上に表示される画像がより鮮明となる。
【００３６】
（その他の実施形態）
本発明の実施形態は上記の実施形態に限られず拡張、変更可能であり、拡張、変更した実施形態も本発明の技術的範囲に含まれる。
【図面の簡単な説明】
【００３７】
【図１】本発明の一実施形態に係る表示装置を表す図である。
【図２】図１の表示パネルを上面から見た状態を模式的に表す上面図である。
【図３】図１の表示パネルを横方向から見た状態を表す側面図である。
【図４】走査線の位置と表示画素の相対輝度との対応関係を表すグラフである。
【図５】階調補正テーブルの内容の一例を表す模式図である。
【図６】図５に表された階調補正テーブルの内容を表すグラフである。
【図７】信号線駆動信号の信号波形の一例を表すグラフである。
【符号の説明】
【００３８】
Ｄ…表示装置、１０…表示パネル、ＦＰ…フェースプレート、ＲＰ…リアプレート、Ｗ…側壁、ＳＰ…スペーサ、Ｐｘ…表示画素、Ｘ（Ｘ１-Ｘｎ）…信号線、Ｙ（Ｙ１-Ｙｍ）…走査線、１１…電子放出素子、１２…蛍光体、２０…信号線ドライバ、２１，２２…ラインメモリ、２３…駆動信号生成部、２４…カウンタ、２５…パルス幅変調回路、２６…出力バッファ・アンプ、３０…走査線ドライバ、３１…シフトレジスタ、３２…出力バッファ・アンプ、４０…映像信号処理回路、４１…ＡＤ変換回路、４２…階調補正データ出力部、４３…階調補正テーブル、４４…乗算器、４５…変換部、４６…変換テーブル、５０…入力回路、６０…タイミング発生回路
【図１】
2006106142.tif 000003
【図２】
2006106142.tif 000004
【図３】
2006106142.tif 000005
【図４】
2006106142.tif 000006
【図５】
2006106142.tif 000007
【図６】
2006106142.tif 000008
【図７】
2006106142.tif 000009